(57)【要約】【課題】節水を目的とする、水栓の管路中に介装する従来の流量調整具は、その本体部分が相対位置の変化する２つの部材からなるため、構造が複雑で、高価なものとなっていた。【解決手段】本発明の流量調整具は、水栓の管路中に介装される流量調整具であって、この流量調整具は、上記水栓の出口側管の上流側端部から管内に挿入される柱状本体と、上記柱状本体の上流側端面から下流側端面に向かって設けた、上流側端面から下流側端面に向かって、その孔の断面面積が徐々に小さくなるように形成された貫通孔と、上記柱状本体に設けた、上記出口側管への固定手段とよりなり、上記柱状本体を所望の位置で切断して取り除くことにより、上記柱状本体の水吐出部面積を調整し、水栓の管路中に介装することにより、上記水栓の管路を流れる水の流量を調整することを特徴とする。【選択図】図４
2013217074.tif 000002
【特許請求の範囲】
【請求項１】
水栓の管路中に介装される流量調整具であって、この流量調整具は、上記水栓の出口側管の上流側端部から管内に挿入される柱状本体と、上記柱状本体の上流側端面から下流側端面に向かって設けた、上流側端面から下流側端面に向かって、その孔の断面面積が徐々に小さくなるように形成された貫通孔と、上記柱状本体に設けた、上記出口側管への固定手段とよりなり、上記柱状本体を所望の位置で切断して取り除くことにより、上記柱状本体の水吐出部面積を調整し、水栓の管路中に介装することにより、上記水栓の管路を流れる水の流量を調整することを特徴とする流量調整具。
【請求項２】
上記切断は、上記柱状本体を上記柱状本体の軸に対して交差する方向に切断するものであり、上記水吐出部面積の調整が、上記柱状本体の下流側端面の孔の開口部の開口面積の調整であることを特徴とする請求項１記載の流量調整具。
【請求項３】
上記貫通孔は、３つ設けられており、各貫通孔は、互いに離間して設けられていることを特徴とする請求項１又は２記載の流量調整具。
【請求項４】
上記柱状本体は、合成樹脂よりなることを特徴とする請求項１、２又は３記載の流量調整具。
【請求項５】
上記柱状本体は、通水性のある多孔質体とその外周面を覆う遮水部材とよりなり、
上記切断は、上記遮水部材の切断であり、上記水吐出部面積の調整が、上記柱状本体の多孔質体の露出面積の調整であることを特徴とする請求項１記載の流量調整具。
【請求項６】
上記柱状本体の外周面に、上記貫通孔に連通する孔を１又は複数設けたことを特徴とする請求項１、２、３、４又は５記載の流量調整具。
【請求項７】
上記柱状本体の外周面に切断目印部が形成されていることを特徴とする請求項１、２、３、４、５又は６記載の流量調整具。
【請求項８】
上記柱状本体の上流側端面に、ストレーナーを設けたことを特徴とする請求項１、２、３、４、５、６又は７記載の流量調整具。
【発明の詳細な説明】
【技術分野】
【０００１】
本発明は流量調整具、特に、節水を目的として、水道栓やシャワー装置などの水栓の管路中に介装して使用する流量調整具に関するものである。
【背景技術】
【０００２】
水道栓１やシャワー装置２などの水栓３の管路中に介装して使用される流量調整具Ａは、例えば、図６に示すように、水道栓１の出水口１ａと、これに袋ナット４により接続される注水管５との間に介装して使用したり、または、図７に示すように、シャワー装置２のシャワーヘッドの根本のホース接続部２ａに介装して使用したりして、上記水栓３の管路内を流れる水の流量を調整するものである。
【０００３】
そして、従来の流量調整具Ａにおいては、例えば、特許文献１のように、流量調整具Ａの本体部分を、主に、外周面に開口を有する外筒と、この外筒の内面に螺合する調節筒との２つの部材により構成して、上記調節筒を上記外筒に対して昇降して、上記外筒の周側面の開口の開口度合いを可変することにより、水栓の管路を流れる水の流量を調整する。
【０００４】
このように、従来の流量調整具Ａにおいては、２つの部材の相対位置を変化させて開口の開口度合いを変化させて、流量を調整するようにしている。
【先行技術文献】
【特許文献】
【０００５】
【特許文献１】特開２００２−２０１６８８号公報
【発明の概要】
【発明が解決しようとする課題】
【０００６】
しかしながら、従来の流量調整具Ａは、本体部分を相対位置を変化させる２つの部材から構成しているため、構造が複雑になると共に、高価なものとなってしまう。また、２つの部材の相対位置の変化の調整が必要で、利用しにくい欠点があった。
【０００７】
また、振動などにより、２つの部材の相対位置が変化して、流量が変動してしまい、再調整が必要となる場合があった。
【０００８】
本発明は、上記の欠点を除くようにしたものである。
【課題を解決するための手段】
【０００９】
本発明の流量調整具は、水栓の管路中に介装される流量調整具であって、この流量調整具は、上記水栓の出口側管の上流側端部から管内に挿入される柱状本体と、上記柱状本体の上流側端面から下流側端面に向かって設けた、上流側端面から下流側端面に向かって、その孔の断面面積が徐々に小さくなるように形成された貫通孔と、上記柱状本体に設けた、上記出口側管への固定手段とよりなり、上記柱状本体を所望の位置で切断して取り除くことにより、上記柱状本体の水吐出部面積を調整し、水栓の管路中に介装することにより、上記水栓の管路を流れる水の流量を調整することを特徴とする。
【００１０】
また、上記切断は、上記柱状本体を上記柱状本体の軸に対して交差する方向に切断するものであり、上記水吐出部面積の調整が、上記柱状本体の下流側端面の孔の開口部の開口面積の調整であることを特徴とする。
【００１１】
また、上記貫通孔は、３つ設けられており、各貫通孔は、互いに離間して設けられていることを特徴とする。
【００１２】
また、上記柱状本体は、合成樹脂よりなることを特徴とする。
【００１３】
また、上記柱状本体は、通水性のある多孔質体とその外周面を覆う遮水部材とよりなり、上記切断は、上記遮水部材の切断であり、上記水吐出部面積の調整が、上記柱状本体の多孔質体の露出面積の調整であることを特徴とする。
【００１４】
また、上記柱状本体の外周面に、上記貫通孔に連通する孔を１又は複数設けたことを特徴とする。また、上記柱状本体の外周面に切断目印部が形成されていることを特徴とする。
【００１５】
また、上記柱状本体の上流側端面に、ストレーナーを設けたことを特徴とする。
【発明の効果】
【００１６】
本発明によれば、流量調整具の本体部分が相対位置の変化のない部材からなるので、構造が簡単で、安い流量調整具を提供できるという大きな利益がある。
【００１７】
また、本体部分として相対位置の変化のある２つの部材を用いていないので、振動等による流量の変化がなく、その後の調整が不要である。
【図面の簡単な説明】
【００１８】
【図１】本発明の流量調整具の正面図である。
【図２】本発明の流量調整具のストレーナーを省略した左側面図である。
【図３】本発明の流量調整具の右側面図である。
【図４】本発明の流量調整具のワッシャーを省略した縦断正面図である。
【図５】本発明の流量調整具の切断後のワッシャーを省略した縦断正面図である。
【図６】本発明の流量調整具の他の実施例のストレーナを省略した縦断側面図である。
【図７】本発明の流量調整具の他の実施例の切断後のストレーナを省略した縦断側面図である。
【図８】従来の流量調整具を介装した水栓の説明図である。
【図９】従来の流量調整具を介装した他の水栓の説明図である。
【発明を実施するための形態】
【００１９】
以下図面によって本発明の実施例を説明する。図１〜図５は本発明の第１の実施例の図を示し、図１は本発明の流量調整具の正面図を示し、図２はストレーナーを省略した左側面図を示し、図３は右側面図を示し、図４はワッシャーを省略した縦断側面図を示す。また、図５は、流量調整具の切断後のワッシャーを省略した縦断側面図を示す。
【００２０】
また、図６及び図７は、本発明の第２の実施例の図を示し、図６はストレーナーを省略した本発明の流量調整具の縦断側面図を示し、図７は、流量調整具の切断後のストレーナーを省略した縦断側面図を示す。
【００２１】
なお、図１〜図７において、図８及び図９に示すものと同一のものには同一の符号を示し、その説明は省略する。
【実施例１】
【００２２】
本発明の第１の実施例の流量調整具Ｐは、図１〜図４に示すように、上記水道栓１の注水管５やシャワー装置２のシャワーヘッドの根元部分のホース接続部２ａなどの出口側管の上流側端部から管内に挿入される円柱状本体６と、この円柱状本体６の上流側端面６ａから下流側端面６ｂに向かって設けた貫通孔７と、上記円柱状本体６の外周面の上流側に設けた外鍔部８と、上記円柱状本体６の外周面に形成した切断目印部９と、上記上流側端面６ａを覆う網状のストレーナー１０よりなる。
【００２３】
上記円柱状本体６は、上記出口側管内に挿入可能な大きさに形成された、例えば、フッ素樹脂又は硬質テフロンゴムなどの合成樹脂等によりなり、この円柱状本体６はカッター等により切断できる硬さに形成されている。なお、上記円柱状本体６は円錐台形状であってもよい。
【００２４】
また、上記貫通孔７は、円周方向において１２０度づつ、等間隔に互いに離間して設けた３つの貫通孔７よりなる。この３つの貫通孔７からそれぞれ水が吐出することにより、各貫通孔７から吐出した水が緩衝しあって、水の勢いを緩和させることができ、例えば、貫通孔７が１つの場合では、吐出した水がジェット流となってしまうことを防ぐことができる。
【００２５】
なお、上記貫通孔７を３つ設ける代わりに、上記貫通孔７を１つ、または、３つ以外の複数としても良い。
【００２６】
また、上記各貫通孔７は、上記円柱状本体６の上流側端面６ａから下流側端面６ｂに向かって、その孔の断面面積が徐々に小さくなるように形成され、後述するように、図５に示すように、上記円柱状本体６を所望の位置で、上記円柱状本体６の軸に対して交差する方向に切断すれば、上記円柱状本体６の切断後の下流側端面６ｂの孔の開口部の開口面積を調整できる。
【００２７】
なお、上記貫通孔７の断面形状は、円、楕円等などがあり、例えば、円の場合には、上記各貫通孔７は、上記円柱状本体６の上流側端面６ａから下流側端面６ｂに向かって、その孔径が徐々に小さくなるように形成されている。
【００２８】
上記外鍔部８は、上記円柱状本体６の外周面の上流側に円周方向に形成した凹部１１と、この凹部１１に挿入されるワッシャー１２とよりなり、上記ワッシャー１２の外径を上記出口側管の上流側の開口径よりも大きくする。これにより、例えば、水栓３の出口側管の上流側端面と出水口の下流側端面とで上記ワッシャー１２を挟持すれば、上記流量調整具Ｐを水栓３の管路中に固定できるようになる。または、上記出口側管が下方に向いている場合には、上記出口側管の上端から管内に上記流量調整具Ｐを挿入すれば、上記ワッシャー１２が管内への落ち止めになり、上記流量調整具Ｐを水栓３の管路中に固定できるようになる。
【００２９】
なお、異なる外径のワッシャー１２を複数用意し、このワッシャー１２を出口側管の径に対応して交換することにより、各種の出口側管内に落ち込まないようにでき、例えば、外国の規格の異なる水栓の管の径に対応できるようになる。
【００３０】
なお、本発明においては、上記外鍔部８を、上記円柱状本体６と分離し、交換可能なものとしたが、上記円柱状本体６と一体型としても良い。
【００３１】
上記切断目印部９は、上記円柱状本体６の外周面の円周方向に形成された溝１３であり、この溝１３は、円柱状本体６の軸方向に所望の間隔を開けて複数設けられている。この溝１３は、上記円柱状本体６を、刃物などで、その軸方向に交差する方向に切断する場所の目印になる。また、上記溝１３の凹部は、刃物の先を案内することができる。
【００３２】
なお、溝１３を用いる代わりに、上記円柱状本体６の外周面に切断の目印となる線を印刷するようにしてもよい。また、上記円柱状本体６の外周面に、切断に関する文字を印刷するようにしてもよい。なお、上記目印部９を省略しても良い。
【００３３】
上記ストレーナー１０は、凸状の円板よりなり、凹んだ部分を上記円柱状本体６の上流側端面６ａ側に位置させて、上記ストレーナー１０の縁部分１０ａを、上記円柱状本体６の上流側端面６ａの縁部に形成した筒部１４の内周面に形成された凹部１５に嵌合して固定している。
【００３４】
このストレーナー１０により、小石などが上記円柱状本体６の貫通孔７に詰まることを防止することができる。なお、このストレーナー１０を省略してもよい。
【００３５】
また、上記ストレーナー１０の内側面と上記上流側端面６ａとの間に空隙ができるようにして、上記ストレーナー１０から上記貫通孔７に流れる水の流れをスムーズにすることができる。
【００３６】
なお、上記ストレーナー１０を凸状の円板を用いる代わりに、平板状の円板を用いて、上記円柱状本体６の上流側端面６ａに接触するようにしても良い。
【００３７】
本発明の第１の実施例の流量調整具Ｐは上記のような構成であるから、まず、図５に示すように、切断目印部９を目印として、上記円柱状本体６を所望の位置で、刃物などで、その軸に交差する方向に切断して、切断された下流側の円柱状本体を取り除き、上記円柱状本体６の切断後の下流側端面６ｂの孔の開口部の孔径を調整する。
【００３８】
そして、例えば、水道栓１の出水口１ａから、袋ナット４を緩めて、出水口１ａと注水管５とを分離し、上記出水口１ａに、上記円筒状本体６の下流側端面６ｂ側を挿入して、この状態で、上記注水管５を上記出水口１ａに取り付ければ、上記外鍔部８が上記出水口１ａと上記注水管５とにより挟持されて、流量調整具Ｐが水栓３の管路中に固定されるようになる。
【００３９】
これにより、上記円柱状本体６に導入された水は、上記貫通孔７から吐出するようになる。
【００４０】
従って、上記円柱状本体６の切断後の下流側端面の孔の開口部の調整により、上記円柱状本体６の水吐出部面積が調整されて、水栓３の管路を流れる水の流量を調整することができるようになる。
【００４１】
なお、上記円柱状本体６の外周面に、上記貫通孔７に連通する横孔を１又は複数設けるようにしてもよい（図示せず）。この場合においては、上記貫通孔を流れる一部の水が上記横孔を通じて、上記円柱状本体の外側面から吐出し、この水と、上記貫通孔からの吐出水とが緩衝しあって、上記流量調整具から吐出する水の勢いを調整することができるようになる。
【００４２】
本発明の第１の実施例の流量調整具Ｐによれば、本体部分が相対位置の変化のない部材からなるので、構造が簡単で、安い流量調整具を提供できるという大きな利益がある。
【００４３】
また、相対位置の変化のある２つ以上の部材を用いていないので、振動等による流量の変化がなく、その後の調整が不要である。
【実施例２】
【００４４】
本発明の第２の実施例においては、第１の実施例における流量調整具Ｐにおいて、カッター等により切断できる硬さの合成樹脂よりなる円柱状本体６を用いる代わりに、図６に示すように、円柱状の通水性のある多孔質体１６と、この多孔質体１６の外周面を覆う熱収縮チューブなどの遮水部材１７とよりなる円柱状本体１８を用いる。
【００４５】
即ち、本発明の第２の実施例の流量調整具Ｐは、水道栓１の注水管５やシャワー装置２のシャワーヘッドの根元部分のホース接続部２ａなどの出口側管の上流側端部から管内に挿入される円柱状本体１８と、この円柱状本体１８の上記多孔質体１６の上流側端面１６ａから下流側端面１６ｂに向かって設けた貫通孔７と、上記円柱状本体１８の外周面の上流側に設けた外鍔部８と、上記円柱状本体１８の外周面に形成した切断目印部９と、上記上流側端面１６ａを覆う網状のストレーナー１０よりなる。
【００４６】
なお、上記ストレーナー１０は第１の実施例と同様省略してもよい。
【００４７】
また、上記貫通孔７は、上記円柱状本体１８の多孔質体１６の上流側端面１６ａから下流側端面１６ｂに向かって、その孔の断面面積が徐々に小さくなるように形成され、これにより、上記貫通孔７を通過する水が、通水性のある多孔質体１６内を通過して、その外周面から出やすくなるように形成されている。
【００４８】
なお、上記貫通孔７の一部において、例えば、下流側端面１６ｂが、上記通水性のある多孔質体で塞がれていてもよい。この場合には、上記円柱状本体１８の多孔質体１６の下流側端面１６ｂから吐出する水の勢いを緩和することができるようになる。
【００４９】
また、上記円柱状本体１８は、上記出口側管内に挿入可能な大きさに形成され、その多孔質体１６は、例えば、合成樹脂や焼結金属等よりなり、例えば、０．０５ＭＰａ程度の低水圧で通水可能なものである。また、上記遮水部材１７は、合成樹脂等の被覆部材等によりなり、カッター等により切断できる硬さに形成されている。なお、上記円柱状本体１８は円錐台形状であってもよい。
【００５０】
また、上記円柱状本体１８に設けられた貫通孔７は１つよりなる。なお、第１の実施例の流量調整具Ｐの円柱状本体６においては、水の勢いを緩和させるために貫通孔７を３つとしているが、第２の実施例の流量調整具Ｐにおいては、貫通孔７から吐出した水が、通水性のある多孔質体１６の外周面から出る水と緩衝して、水の勢いを緩和させることができるので、貫通孔７は１つでよい。
【００５１】
なお、上記貫通孔７を１つではなく、複数設けてもよい。
【００５２】
また、上記外鍔部８は、上記円柱状本体１８の外周面の上流側に円周方向に形成した凸部１９と、上記多孔質体１６の外周面の上流側縁部に円周方向に形成した、上記遮水部材１７に溶着されたプラスチック製の円板体２０と、上記凸部１９と上記円板体２０との間に挿入される、例えば、ステンレス製のフランジ２１とよりなる。なお、フランジ２１の変わりにワッシャー１２を用いてもよい。
【００５３】
なお、実施例１と同一のものには、同一の符号を付し、その説明を省略する。
【００５４】
本発明の第２の実施例の流量調整具Ｐは上記のような構成であるから、まず、切断目印部９を目印として、上記円柱状本体１８の遮水部材１７の下流側部分を所望の位置で、刃物などで切断して、図７に示すように、上記多孔質体１６から取り除くことより、上記円柱状本体１８の多孔質体の露出面積を調整する。
【００５５】
そして、実施例１と同様に、例えば、水道栓１の出水口１ａから、袋ナット４を緩めて、出水口１ａと注水管５とを分離し、上記出水口１ａに、上記円筒状本体１８の下流側端面側を挿入して、この状態で、上記注水管５を上記出水口１ａに取り付ければ、上記外鍔部８が上記出水口１ａと上記注水管５とにより挟持されて、流量調整具Ｐが水栓３の管路中に固定されるようになる。
【００５６】
これにより、上記円柱状本体１８に導入された水は、上記貫通孔７から吐出すると共に、遮水部材が剥ぎ取られた上記多孔質体１６の露出した部分からも吐出するようになる。
【００５７】
従って、上記多孔質体１６の露出面積の調整により、上記円柱状本体１８の水吐出部面積が調整されて、水栓３の管路を流れる水の流量を調整することができるようになる。
【００５８】
なお、第１の実施例と同様に、上記円柱状本体１８の外周面に、上記貫通孔７に連通する横孔を１又は複数設けるようにしてもよい。
【００５９】
本発明の第２の実施例の流量調整具Ｐによれば、第１の実施例同様に、本体部分が相対位置の変化のない部材からなるので、構造が簡単で、安い流量調整具を提供できるという大きな利益がある。
【００６０】
また、相対位置の変化のある２つ以上の部材を用いていないので、振動等による流量の変化がないので、その後の調整が不要である。
【符号の説明】
【００６１】
１    水道栓
１ａ  出水口
２    シャワー装置
２ａ  ホース接続部
３    水栓
４    袋ナット
５    注水管
６    円柱状本体
６ａ  上流側端面
６ｂ  下流側端面
７    貫通孔
８    外鍔部
９    切断目印部
１０    ストレーナー
１０ａ   縁部分
１１  凹部
１２  ワッシャー
１３  溝
１４  筒部
１５  凹部
１６  多孔質体
１６ａ  上流側端面
１６ｂ  下流側端面
１７  遮水部材
１８  円柱状本体
１９  凸部
２０  円板体
２１  フランジ
Ａ    従来の流量調整具
Ｐ    本発明の流量調整具
【図１】
2013217074.tif 000003
【図２】
2013217074.tif 000004
【図３】
2013217074.tif 000005
【図４】
2013217074.tif 000006
【図５】
2013217074.tif 000007
【図６】
2013217074.tif 000008
【図７】
2013217074.tif 000009
【図８】
2013217074.tif 000010
【図９】
2013217074.tif 000011